(57)【要約】【課題】  非表示領域の幅寸法を減少させることができるので、液晶表示パネルにおける狭額縁化を図ることができ、これにより、液晶表示パネル自体の小型化を図ることができ、または同一寸法の液晶表示パネルにおける表示領域の大型化を図る。【解決手段】  直交表示電極１１を、非表示領域９において引き回しながら第１端子部始端辺３ａの方向に延設して、対応する表示電極用電極端子１４ｃに接続し、平行表示電極７ａ、７ｂのうち半分の第１平行表示電極７ａを、非表示領域９において第１端子部始端辺３ａの方向に曲折するように引き回しながら延設して対応する電極端子１４ａに接続し、他の第２平行表示電極７ｂを、非表示領域９において引き回しながら第２端子部４の端縁４ｂの方向に延設し、フレキシブル配線基板２５の基板電極２７を介して対応する表示電極用電極端子１４ｂに導電接続する。【選択図】      図１
2006243008.tif 000002
【特許請求の範囲】
【請求項１】
一対の基板を有し、
前記両基板のうち一方の基板は他方の基板と比較して平面形状が大きく形成された端子部を有し、
前記両基板の相互に対向する内面であって表示を行う表示領域にそれぞれ複数の電極が設けられ、
前記端子部に、前記各電極に対応する電極端子が設けられており、
前記各電極のうち前記一方の基板における端子部始端辺に対して直交方向に配設されている直交電極は、前記表示領域の外周部分である非表示領域において引き回されながら前記端子部始端辺の方向に延設されて、対応する前記電極端子に接続され、
前記各電極のうち前記端子部始端辺に対して平行方向に配設されている平行電極の一部の第１平行電極は、前記非表示領域において前記端子部始端辺の方向に曲折するように引き回されながら延設されて、対応する前記電極端子に接続され、
他の第２平行電極は、前記非表示領域において引き回されながら前記端子部始端辺を除く端縁の方向に延設され、外部配線を介して対応する前記電極端子に導電接続されていることを特徴とする表示パネル。
【請求項２】
前記各第２平行電極は、前記全ての平行電極の半数である請求項１に記載の表示パネル。
【請求項３】
一対の基板を有し、
両基板のうち一方の基板は他方の基板と比較して平面形状が大きくされた第１端子部と第２位端子部とを有し、
前記両基板の相互に対向する内面であって表示を行う表示領域にそれぞれ複数の電極が設けられている表示パネルであって、
前記第１端子部に、前記各電極に対応する電極端子が設けられており、
該電極端子のうちの一部の電極端子は前記第２端子部に形成された内部接続端子と導電接続され、
前記内部接続端子は、前記表示領域に設けられた一部の電極と接続されていることを特徴とする表示パネル。
【請求項４】
前記第１端子部と前記第２端子部は対向する辺に形成され、前記内部接続端子とそれにつながる前記一部の電極端子は、フレキシブル配線基板を介して接続されている請求項３に記載の表示パネル。
【請求項５】
前記第１端子部に、前記各電極に信号を供給する半導体装置が設けられており、前記各電極端子が前記半導体装置と接続されている請求項３または４に記載の表示パネル。
【発明の詳細な説明】
【技術分野】
【０００１】
本発明は表示パネルに係り、特に、表示領域に設けられ、表示領域の外周部分である非表示領域において引き回される電極を有する表示パネルに関する。
【背景技術】
【０００２】
従来より、携帯電話やパーソナルコンピュータ等の表示手段として、例えば、一対の基板の間隙に封入された液晶を駆動させて文字等の画像を表示する液晶表示パネル等の表示手段が多用されている。
【０００３】
図５は、従来の液晶表示パネル３３の一例を示す模式的平面図であり、図５に示すように、この液晶表示パネル３３は、一対の透明基板３４ａ、３４ｂを有し、一方の透明基板３４ａは他方の透明基板３４ｂと比較して平面形状が大きく形成された端子部３５を有している。この端子部３５は、透明基板３４ａの端子部始端辺３５ａから外方に向かって突出している。両透明基板３４ａ、３４ｂの相互に対向する内面であって表示を行う表示領域３７には、それぞれ複数の表示電極３９、４０が設けられており、一方、端子部３５には、各表示電極３９、４０に対応する複数の電極端子３８ａ、３８ｂが設けられている。
【０００４】
そして、両透明基板３４ａ、３４ｂは、相互に対向する内面の外周縁に配設されたシール材によって一体形成されており、両透明基板３４ａ、３４ｂおよびシール材に囲まれた内部には、液晶が封入されている。
【０００５】
各表示電極のうち、一方の透明基板３４ａの端子部始端辺３５ａに対し平行方向に配設されている平行表示電極３９は、表示領域３７における端子部始端辺３５ａに直交する直交端縁３６を介して、前記直交端縁３６に隣位する非表示領域４２に延設されている。そして、平行表示電極３９は、前記非表示領域４２において端子部始端辺３５ａの方向に曲折して引き回されて端子部始端辺３５ａに至り、対応する電極端子３８ａに連設されている。
【０００６】
一方、直交表示電極４０は、非表示領域４２において引き回されながら端子部始端辺３５ａに至るように配設されており、シール材に含有された導電材を介して対応する電極端子３８ｂに導通されている。
【０００７】
しかし、このような従来の液晶表示パネル３３においては、全ての平行表示電極３９が、表示領域３７の直交端縁３６に隣位する非表示領域４２において端子部始端辺３５ａの方向に曲折し、並列して引き回されて配設されている。
【０００８】
このため、前記非表示領域４２を幅広に形成しなければならず、また、表示の高精細化にともなって表示電極３９、４０の数が増加する傾向にあり、平行表示電極３９を非表示領域４２において引き回すために、益々非表示領域４２を幅広に形成する必要がある。この結果、液晶表示パネル３３の狭額縁化を図ることが困難であり、近年要望が高まっている液晶表示パネル３３自体の小型化、または同一寸法の液晶表示パネル３３における表示領域３７の大型化を図ることが困難であるという問題を有していた。
【０００９】
また、前述のように表示の高精細化に伴って平行表示電極３９の数が増加すると、非表示領域４２幅寸法が決まっている液晶表示パネル３３においては、決まった非表示領域４２幅寸法のなかで多数の平行表示電極３９を引き回さなければならず、平行表示電極３９における引き回し部の幅寸法が短くなってしまい、例えば、断線等の不都合が発生するおそれがあるという問題を有していた。
【発明の開示】
【発明が解決しようとする課題】
【００１０】
本発明はこれらの点に鑑みてなされたものであり、表示パネルの狭額縁化を図ることにより、表示パネル自体の小型化、または同一寸法の表示パネルにおける表示領域の大型化を図ることができるとともに、非表示領域幅寸法が決まっている表示パネルにおいては、電極における引き回し部の幅寸法を太く形成することができる表示パネルを提供することを目的とする。
【課題を解決するための手段】
【００１１】
前記目的を達成するため、本発明に係る第１態様の表示パネルの特徴は、一対の基板を有し、前記両基板のうち一方の基板は他方の基板と比較して平面形状が大きく形成された端子部を有し、前記両基板の相互に対向する内面であって表示を行う表示領域にそれぞれ複数の電極が設けられ、前記端子部に、前記各電極に対応する電極端子が設けられており、前記各電極のうち前記一方の基板における端子部始端辺に対して直交方向に配設されている直交電極は、前記表示領域の外周部分である非表示領域において引き回されながら前記端子部始端辺の方向に延設されて、対応する前記電極端子に接続され、前記各電極のうち前記端子部始端辺に対して平行方向に配設されている平行電極の一部の第１平行電極は、前記非表示領域において前記端子部始端辺の方向に曲折するように引き回されながら延設されて、対応する前記電極端子に接続され、他の第２平行電極は、前記非表示領域において引き回されながら前記端子部始端辺を除く端縁の方向に延設され、外部配線を介して対応する前記電極端子に導電接続されている点にある。
【００１２】
また、前記各第２平行電極は、前記全ての平行電極の半数であることが好ましい。
【００１３】
本発明によれば、全ての平行表示電極のうち一部の第１平行電極が、非表示領域において端子部始端辺の方向に曲折するように引き回されているとともに、第２平行電極が、非表示領域において端子部始端辺を除く端縁方向に曲折するように引き回されて配設されている。このように全ての平行表示電極が同じ方向に曲折するように引き回されていないので、表示領域の直交端縁に隣位する非表示領域における平行表示電極の並列数を減少させることができる。これにより、前記非表示領域の幅寸法を減少させることができるとともに、非表示領域の幅寸法が決まっている表示パネルにおいては、各平行電極の幅寸法を太く形成することができる。
【００１４】
本発明に係る第２態様の表示パネルの特徴は、一対の基板を有し、両基板のうち一方の基板は他方の基板と比較して平面形状が大きくされた第１端子部と第２端子部とを有し、前記両基板の相互に対向する内面であって表示を行う表示領域にそれぞれ複数の電極が設けられている表示パネルであって、前記第１端子部に、前記各電極に対応する電極端子が設けられており、該電極端子のうちの一部の電極端子は、前記第２端子部に形成された内部接続端子と導電接続され、前記内部接続端子は、前記表示領域に設けられた一部の電極と接続されている点にある。
【００１５】
また、前記第１端子部と前記第２端子部は対向する辺に形成され、前記内部接続端子とそれにつながる前記一部の電極端子はフレキシブル配線基板を介して接続されていることが好ましい。
【００１６】
さらに、前記第１端子部に、前記各電極に信号を供給する半導体装置が設けられており、前記各電極端子が前記半導体装置と接続されていることが好ましい。
【発明の効果】
【００１７】
以上述べたように、本発明に係る表示パネルによれば、非表示領域の幅寸法を減少させることができるので、液晶表示パネルにおける狭額縁化を図ることができ、これにより、液晶表示パネル自体の小型化を図ることができ、または同一寸法の液晶表示パネルにおける表示領域の大型化を図ることができる。
【００１８】
また、非表示領域の幅寸法が決まっている表示パネルにおいては、各平行電極の幅寸法を太く形成することができる。
【発明を実施するための最良の形態】
【００１９】
以下、本発明に係る表示パネルの一実施形態を、図１から図４を参照して説明する。
【００２０】
ここで、本実施形態においては表示パネルとして液晶表示パネルを用いて説明する。
【００２１】
図１は、本実施形態に係る液晶表示パネルを示す模式的平面図、図２は図１の液晶表示パネルのＡ−Ａにおける模式的断面図である。
【００２２】
図１に示すように、前記液晶表示パネル１は、ガラス等からなる一対の透明基板２ａ、２ｂを有し、一方の透明基板２ａは、他方の透明基板２ｂと比較して平面形状が大きく形成された第１端子部３を有するとともに、第１端子部３が形成されている端縁と対向する端縁側に、他方の透明基板２ｂと比較して平面形状が大きく形成された第２端子部４を有している。第１端子部３における第１端子部始端辺３ａから一端縁３ｂまでの突出寸法は、第２端子部４における第２端子部始端辺４ａから他端縁４ｂまでの突出寸法よりも長く形成されている。
【００２３】
一方の透明基板２ａにおける他方の透明基板２ｂに対向する内面であって液晶表示パネル１として表示を行う表示領域６には、ＩＴＯ（Indium Tin Oxide：インジウムスズ酸化物）等からなる複数の平行表示電極７ａ、７ｂが、第１端子部始端辺３ａに対して平行方向に配設されている。各平行表示電極７ａ、７ｂのうち半数の平行表示電極７ａ、７ｂは、第１端子部始端辺３ａに対して直交方向に位置する表示領域６の一方の直交端縁６ａを介して非表示領域９に延設されている。さらに、一方の直交端縁６ａを介して非表示領域９に延設された平行表示電極７ａ、７ｂのうち第１端子部始端辺３ａ側に位置する半数の第１平行表示電極７ａは、非表示領域９において第１端子部始端辺３ａの方向に曲折するように引き回され、第１端子部始端辺３ａに至るように配設されている。さらにまた、第２端子部始端辺４ａ側に位置する他の第２平行表示電極７ｂは、非表示領域９において第２端子部始端辺４ａの方向に曲折するように引き回されて、第２端子部４の端縁４ｂに至るように形成され、端縁４ｂにおいて内部接続端子３１とされている。
【００２４】
また、各平行表示電極７ａ、７ｂのうち他の半数の平行表示電極７ａ、７ｂは、第１端子部始端辺３ａに対して直交方向に位置する表示領域６の他方の直交端縁６ｂを介して非表示領域９に延設されている。さらに、他方の直交端縁６ｂを介して非表示領域９に延設された平行表示電極７ａ、７ｂのうち第１端子部始端辺３ａ側に位置する半数の第１平行表示電極７ａは、非表示領域９において第１端子部３の方向に曲折するように引き回され、第１端子部始端辺３ａに至るように配設されている。さらにまた、第２端子部始端辺４ａ側に位置する他の第２平行表示電極７ｂは、非表示領域９において第２端子部４の方向に曲折するように引き回されて、第２端子部４の端縁４ｂに至るように形成され、端縁４ｂにおいて内部接続端子３１とされている。
【００２５】
すなわち、全ての平行表示電極７ａ、７ｂのうち半数の第１平行表示電極７ａは、第１端子部３の方向に曲折して延設されており、他の半数の第２平行表示電極７ｂは、第２端子部４の方向に曲折して延設されている。
【００２６】
他方の透明基板２ｂにおける一方の透明基板２ａに対向する内面の表示領域６には、直交表示電極１１が第１端子部始端辺３ａに対して直交方向に配設されており、全ての直交表示電極１１は、第１端子部始端辺３ａに至るように非表示領域９において引き回されて配設されている。
【００２７】
また、第１端子部３には、平行表示電極７ａ、７ｂおよび直交表示電極１１に電圧を印加するための半導体装置である液晶駆動用ＩＣチップ１３が設けられるようになっている。
【００２８】
さらに、第１端子部３には、各平行表示電極７ａ、７ｂおよび各直交表示電極１１に対応するＩＴＯ等からなる表示電極用電極端子１４ａ、１４ｂ、１４ｃが設けられている。
【００２９】
各第１平行表示電極７ａに対応する表示電極用電極端子１４ａは、一端部が液晶駆動用ＩＣチップ１３における対応する入力端子１５ａの配置位置に対向するように配設されているとともに、他端部が第１端子部始端辺３ａに至るように配設されて対応する第１平行表示電極７ａに連設されるようになっている。
【００３０】
一方、各第２平行表示電極７ｂに対応する表示電極用電極端子１４ｂは、一端部が液晶駆動用ＩＣチップ１３における対応する入力端子１５ａの配置位置に対向する位置に配設されているとともに、他端部が第１端子部３における第１端子部始端辺３ａに対向する端縁に至るように配設されている。なお、本実施形態においては、これら表示電極用電極端子１４ｂの他端部は、第１端子部３における第１端子部始端辺３ａに対向する端縁に至るように設けられているが、これに限定されず、第１端子部３における第１端子部始端辺３ａに対して直交方向に位置する側縁に至るように設けてもよい。
【００３１】
各直交表示電極１１に対応する表示電極用電極端子１４ｃは、一端部が液晶駆動用ＩＣチップ１３における対応する入力端子１５ａの配置位置に対向する位置に配設されているとともに、他端部が第１端子部始端辺３ａに至るように配設されており、直交表示電極１１とは別に形成されている。
【００３２】
両透明基板２ａ、２ｂは、両透明基板２ａ、２ｂの内面における外周縁に配設されたシール材１７により一体に形成されており、両透明基板２ａ、２ｂおよび導電粒子（図示せず）が含有されたシール材１７に囲まれた内部には、液晶１８が封入されている。
【００３３】
そして、各直交表示電極１１は、シール材１７に含有された導電粒子を介して、対応する表示電極用電極端子１４ｃと導電接続されるようになっているとともに、液晶駆動用ＩＣチップ１３の各入力端子１５ａは、各表示電極用電極端子１４ａ、１４ｂ、１４ｃの一端部と導電接着材（図示せず）を介して導電接続されている。
【００３４】
液晶表示パネル１の反視認側には、液晶表示パネル１の表示領域６に対向して設けられた導光板２０と、導光板２０の側面に対向して設けられ導光板２０に照射光を入射する光源２１と、導光板２０および光源２１を一体に保持する枠体２２等とを有し、導光板２０を介して液晶表示パネル１に照射光を照射するバックライトユニット２３が設けられている。
【００３５】
また、液晶表示パネル１は、第２平行表示電極７ｂと、これら第２平行表示電極７ｂに対応する第１端子部３に配設された表示電極用電極端子１４ｂとを導通させるための２つのフレキシブル配線基板２５を有している。
【００３６】
一方のフレキシブル配線基板２５は、可撓性を有する基材２６を有し、基材２６の一面には、表示領域６の一方の直交端縁６ａを介して非表示領域９に延設された第２平行表示電極７ｂに対応する基板電極２７が設けられ、各基板電極２７の一端部は、前記各第２平行表示電極７ｂの内部接続端子３１に導電接続されている。このフレキシブル配線基板２５は、バックライトユニット２３の反視認側を介してこのフレキシブル配線基板２５の他端縁が第１端子部３の端縁方向に位置するように配設されており、各基板電極２７の他端部は、前記各第２平行表示電極７ｂに対応する表示電極用電極端子１４ｂの他端部に導電接続されている。
【００３７】
他方のフレキシブル配線基板２５における基材２６の一面には、表示領域６の他方の直交端縁６ｂを介して非表示領域９に延設された第２平行表示電極７ｂに対応する基板電極２７が設けられており、各基板電極２７の一端部は、前記各第２平行表示電極７ｂの内部接続端子３１に導電接続されている。このフレキシブル配線基板２５も、バックライトユニット２３の反視認側を介してこのフレキシブル配線基板２５の他端縁が第１端子部３の端縁方向に位置するように配設され、各基板電極２７の他端部は、前記各第２平行表示電極７ｂに対応する表示電極用電極端子１４ｂの他端部に導電接続されている。
【００３８】
これにより、各第１平行表示電極７ａは、連設された表示電極用電極端子１４ａを介して液晶駆動用ＩＣチップ１３に導通されている。また、各第２平行表示電極７ｂは、フレキシブル配線基板２５の基板電極２７を介して表示電極用電極端子１４ｂに導通され、これら表示電極用電極端子１４ｂを介して液晶駆動用ＩＣチップ１３に導通されている。さらに、直交表示電極１１は、シール材１７の導電粒子を介して表示電極用電極端子１４ｃに導通され、これら表示電極用電極端子１４ｃを介して液晶駆動用ＩＣチップ１３に導通されている。
【００３９】
さらに、第１端子部３の端縁部分には、液晶表示パネル１に対して図示しない外部電源から電圧を印加するためのＩＴＯ等からなる複数の外部電源用電極端子２８が設けられている。各外部電源用電極端子２８の一端部は、液晶駆動用ＩＣチップ１３の各出力端子１５ｂに導電接着材（図示せず）を介して導電接続されているとともに、各外部電源用電極端子２８における第１端子部３の端縁側の他端部は、図示しないフレキシブル配線基板２５の電極等を介して外部電源に接続されるようになっている。
【００４０】
次に、本実施形態の作用について説明する。
【００４１】
本実施形態によれば、全ての平行表示電極７ａ、７ｂのうち半数の第１平行表示電極７ａが、非表示領域９において第１端子部始端辺３ａの方向に曲折するように引き回されているとともに、第２平行表示電極７ｂが、非表示領域９において第１端子部始端辺３ａの方向ではなく第２端子部始端辺４ａの方向に曲折するように引き回されて配設されている。このように全ての平行表示電極７ａ、７ｂが同じ方向に曲折するように引き回されていないので、表示領域６の直交端縁６ａ、６ｂに隣位する非表示領域９における平行表示電極７ａ、７ｂの並列数を減少させることができ、これにより、前記非表示領域９の幅寸法を減少させることができる。
【００４２】
したがって、非表示領域９の幅寸法を減少させることができるので、液晶表示パネル１における狭額縁化を図ることができる。これにより、液晶表示パネル１自体の小型化を図ることができ、または同一寸法の液晶表示パネル１における表示領域６の大型化を図ることができる。
【００４３】
なお、本実施形態においては、第２平行表示電極７ｂの非表示領域９における引き回し部を、従来の液晶表示パネル１と同一の幅寸法によって形成することにより、液晶表示パネル１の狭額縁化を図っているが、これに限定されるものではない。例えば、図３に示すような、表示領域６の直交端縁６ａ、６ｂに隣位する非表示領域９の幅寸法が決定されており、前記非表示領域９の幅寸法を狭く形成することができない液晶表示パネル１においては、本発明を適用することにより、各平行表示電極７ａ、７ｂの引き回し部の幅寸法を太く形成することが可能となる。
【００４４】
また、第２平行表示電極７ｂが第２端子部４に引き回され、第２端子部４の端縁４ｂにおいて内部接続端子３１とされ、この内部接続端子３１と第１端子部３の電極端子１４ｂとがフレキシブル配線基板２５を介して接続されているので、非表示領域９の幅寸法を効率的に減少させることができる。これにより、液晶表示パネル１の狭額縁化を行うことができる。また、フレキシブル配線基板２５の基板電極２７を抵抗の低い金属電極で形成することにより、引き回し部の抵抗の上昇を防ぐことができる。
【００４５】
次に、本発明に係る表示パネルの第２実施形態について図４を参照して説明する。
【００４６】
ここで、第２実施形態の表示パネルについて、第１実施形態の表示パネルと構成が同じ部分については同一の符号を付して説明し、詳説を省略する。
【００４７】
図４は、第２実施形態における液晶表示パネル１を示す模式的断面図であり、図４に示すように、バックライトユニット２３の反視認側には、液晶表示パネル１を有する液晶表示装置の駆動において用いられるコンデンサや抵抗等のチップ部品（図示せず）が実装された外部配線としてのプリント回路基板２９が設けられている。
【００４８】
プリント回路基板２９には、各第２平行表示電極７ｂに対応する基板電極２７が設けられており、各基板電極２７の一端部は、第２端子部４の端縁４ｂに至るように設けられている第２平行表示電極７ｂの内部接続端子３１にヒートシールコネクタ３０等を介して導電接続されている。また、各基板電極２７の他端部は、第２平行表示電極７ｂに対応して第１端子部３に設けられた表示電極用電極端子１４ｂの一端部に、ヒートシールコネクタ３０等を介して導電接続されている。
【００４９】
次に、本実施形態の作用について説明する。
【００５０】
本実施形態によっても、第１実施形態と同様に、表示領域６の直交端縁６ａ、６ｂに隣位する非表示領域９における平行表示電極７ａ、７ｂの並列数を減少させることができ、これにより、前記非表示領域９の幅寸法を減少させることができる。
【００５１】
また、液晶表示装置の駆動用に配設されているプリント回路基板２９に設けられた基板電極２７を介して各第２平行表示電極７ｂと各表示電極用電極端子１４ｂとを導通させることができる。
【００５２】
したがって、非表示領域９の幅寸法を減少させることができるので、液晶表示パネル１における狭額縁化を図ることができ、これにより、液晶表示パネル１自体の小型化を図ることができ、または同一寸法の液晶表示パネル１における表示領域６の大型化を図ることができる。また、表示領域６の直交端縁６ａ、６ｂに隣位する非表示領域９幅の寸法が決定されているような液晶表示パネル１においては、各平行表示電極７ａ、７ｂの引き回し部の幅寸法を太く形成することが可能となる。
【００５３】
さらに、各第２平行表示電極７ｂと各表示電極用電極端子１４ｂとを接続するための新たな空間を必要とすることなく、効率的に各第２平行表示電極７ｂと各表示電極用電極端子１４ｂとを導通させることができる。
【００５４】
なお、本発明は前記実施形態に限定されるものではなく、必要に応じて種々変更することが可能である。
【００５５】
例えば、本実施形態においては、第１端子部３に液晶駆動用ＩＣチップ１３が搭載されたＣＯＧ(Chip on Glass)型の液晶表示パネル１を用いて説明しているが、本発明はこれに限定されるものではなく、例えば、各表示電極用電極端子１４ａ、１４ｂ、１４ｃがフレキシブル配線基板２５の基板電極２７に導電接続される液晶表示パネル１に適用してもよい。
【００５６】
また、全ての平行表示電極７ａ、７ｂのうち半数の第２平行表示電極７ｂを、第２端子部４の方向に曲折するように引き回して配設しているが、これに限定されず、一部の平行表示電極７ａ、７ｂを第１端子部３の方向ではない方向に延設されるように引き回すものであればよい。
【００５７】
さらに、本実施形態においては、一方の透明基板２ａ、２ｂに各平行表示電極７ａ、７ｂを配設し、他方の透明基板２ａ、２ｂに直交表示電極１１を配設するものであるが、これに限定されず、一方の透明基板２ａに各直交表示電極１１を配設し、他方の透明基板２ｂに平行表示電極７ａ、７ｂを配設してもよい。
【図面の簡単な説明】
【００５８】
【図１】本発明に係る表示パネルの一実施形態を示す模式的平面図
【図２】図１の表示パネルのＡ−Ａにおける模式的断面図
【図３】本発明に係る表示パネルの他の実施形態を示す模式的平面図
【図４】本発明に係る表示パネルの他の実施形態を示す模式的断面図
【図５】従来の表示パネルの一例を示す模式的平面図
【符号の説明】
【００５９】
１  液晶表示パネル
２ａ、２ｂ  透明基板
３  第１端子部
３ａ  第１端子部始端辺
４  第２端子部
４ａ  第２端子部始端辺
６  表示領域
６ａ、６ｂ  直交端縁
７ａ  第１平行表示電極
７ｂ  第２平行表示電極
９  非表示領域
１１  直交表示電極
１３  液晶駆動用ＩＣチップ
１４ａ、１４ｂ、１４ｃ  表示電極用電極端子
２５  フレキシブル配線基板
２６  基材
２７  基板電極
３１  内部接続端子
【図１】
2006243008.tif 000003
【図２】
2006243008.tif 000004
【図３】
2006243008.tif 000005
【図４】
2006243008.tif 000006
【図５】
2006243008.tif 000007